(57)【特許請求の範囲】
【請求項１】
水路に設置されるゴミ捕捉器であって、水路の全幅よりも幅狹の底部部材の幅方向両側に、水路の側面に相対峙する側部部材を立ち上げると共に、水路を横断させるように、幅方向両側の側部部材と底部部材との下流側の端部にわたって後部部材を連設し、更に、底部部材と水路底面との間、及び、幅方向両側の側部部材の少なくとも一方と水路側面との間に、それぞれ通水路を形成するスペーサーを設けると共に、底部部材と前記少なくとも一方の側部部材との上流側の端部には、上記の通水路を横断させるように前部側部材を連設し、かつ、それぞれの部材を、通水を許容してゴミを捕捉する部材から構成して成ることを特徴とするゴミ捕捉器。
【請求項２】
前部側部材を、底部部材の端部から上流側の水路底面に向けて傾斜する下部側の前部部材と、側部部材の端部から上流側の水路側面に向けて傾斜する側方の前部部材とから構成して成る請求項１記載のゴミ捕捉器。
【発明の詳細な説明】
【０００１】
【発明の属する技術分野】
本発明は、例えば会所枡に連なる水路などに設置されるゴミ捕捉器に関するものである。
【０００２】
【従来の技術】
上記の例えば会所枡への水の落ち口には、一般に簀の子状のゴミ捕捉器が設置されており、定期的など適宜にグレーチングなどの蓋を外して、水路を開放し、ゴミ捕捉器によって捕捉された雑多なゴミを排除するようにしている。
【０００３】
【発明が解決しようとする課題】
ところで、上記の簀の子状のゴミ捕捉器では、ゴミの捕捉面積が、会所枡への水の落ち口の大きさに限られるもので、特に面積的に大きな落ち葉や紙類、合成樹脂シートなどの雑多なゴミを捕捉した際には、ゴミ捕捉器が短期に目詰まりしてしまう点で問題があり、グレーチングなどの蓋を備えない場合は一層顕著であった。
【０００４】
本発明は、かゝる実情に鑑みて成されたものであって、その目的は、ゴミの捕捉面積を飛躍的に増大させて、目詰まりを長期にわたって防止できるようにしたゴミ捕捉器を提供する点にある。
【０００５】
【課題を解決するための手段】
本発明によるゴミ捕捉器は、水路の全幅よりも幅狹の底部部材の幅方向両側に、水路の側面に相対峙する側部部材を立ち上げると共に、水路を横断させるように、幅方向両側の側部部材と底部部材との下流側の端部にわたって後部部材を連設し、更に、底部部材と水路底面との間、及び、幅方向両側の側部部材の少なくとも一方と水路側面との間に、それぞれ通水路を形成するスペーサーを設けると共に、底部部材と前記少なくとも一方の側部部材との上流側の端部には、上記の通水路を横断させるように前部側部材を連設し、かつ、それぞれの部材を、通水を許容してゴミを捕捉する部材から構成して成る点に特徴がある（請求項１）。
【０００６】
【０００７】
【０００８】
【０００９】
【００１０】
【００１１】
【００１２】
かゝる構成のゴミ捕捉器では、底部部材と水路底面との間に通水路が確保されることに加えて、幅方向両側の側部部材の少なくとも一方と水路側面との間にも通水路が確保されることから、後述する参考例のゴミ捕捉器に比較して、水路の流水方向でのゴミ捕捉器の長さを同じにした場合、ゴミの捕捉容量が小さくなるものの、後部部材が目詰まりした際の流路面積を大きく確保することができる。
【００１３】
好適には、上記の前部側部材を、底部部材の端部から上流側の水路底面に向けて傾斜する下部側の前部部材と、側部部材の端部から上流側の水路側面に向けて傾斜する側方の前部部材とから構成して、上述したように、水の流れに伴ってゴミを、底部部材側にスムースに案内させるようにして、前部側部材の目詰まりを生じ難くさせることである（請求項２）。
【００１４】
【発明の実施の形態】
まず参考例を図面に基づいて説明する。図１はゴミ捕捉器の全体を示し、図２はゴミ捕捉器の構成基材を示している。そして、図３〜図６は例えば会所枡に連なる水路Ｗへのゴミ捕捉器の設置状態を示している。
【００１５】
ゴミ捕捉器は、水路Ｗのほゞ全幅にわたる底部部材１の幅方向両側に、水路Ｗの側面ａに相対峙する側部部材２，２を立ち上げると共に、水路Ｗを横断させるように、幅方向両側の側部部材２，２と底部部材１との下流側の端部にわたって後部部材３を連設し、更に、図４〜６に示すように、底部部材１と水路底面ｂとを平行にして、両者の間に通水路Ｗａを形成するスペーサー５を設けると共に、上記の通水路Ｗａを横断させるように、底部部材１の上流側の端部に、その端部から上流側の水路底面ｂに向けて斜めに前部部材４を連設して成り、かつ、持ち運び用の把手部材６が側部部材２，２にわたって設けられている。
【００１６】
ゴミ捕捉器を構成するための基材は金属製であって、通水を許容してゴミを捕捉するように構成された第１及び第２の基材７，８から成り、具体的には、第１及び第２の基材７，８は、保形用の周部枠９に、流水方向に沿う複数本の線条部材１０をレーキ状に設けると共に、水路Ｗの幅方向に向けて複数本の補強部材１１を設けて成る。
【００１７】
そして、水路Ｗの流水方向での第１基材７の長さが第２基材８よりも長くて、その幅は水路Ｗの幅とほゞ同幅であり、第２基材８の幅は第１基材７よりも幅広であって、第１基材７の長さ方向の両側を第２基材８の長さ方向の両側に張り出させる状態で、かつ、第２基材８の幅方向の両側を第１基材７の幅方向の両側にほゞ同幅で張り出させる状態で、第１基材７を第２基材８の上部に乗せ付けて、この両者７，８を一体に接合しているのである。
【００１８】
かゝる構成の基材において、それの第１基材７の長さ方向一方の張り出し部分を前部部材４として、これを斜め下方に曲げ加工し、長さ方向の他方の張り出し部分を後部部材３として、これを上方に向けて直角に曲げ加工し、第２基材８の幅方向両側の張り出し部分を側部部材２として、これを上方に向けて直角に曲げ加工し、かつ、第１基材７の曲げ加工しない残りの部分を底部部材９として、スペーサー５と把手部材６とを接合し、最終的に、この全体を例えば樹脂液にドブ漬けして、樹脂コーティングされたゴミ捕捉器を構成しているのである。
【００１９】
尚、上記のゴミ捕捉器の製造手順は単なる一例であって、手順の変更は任意に可能である。また、金属製に限らず、ゴミ捕捉器の全体を合成樹脂製にする等の変更が可能である。
【００２０】
上記の構成によるゴミ捕捉器を、会所枡に連なる水路Ｗなどに設置すると、この水路Ｗを流れる水は、前部部材４と底部部材１および後部部材３を通して下流側に至るのであり、この水に乗って流れ来るゴミは、その一部が前部部材４に掬われるようにして、底部部材１と側部部材２，２とに案内されて、水路Ｗを横断する後部部材３に到達し、この後部部材３と底部部材１の後部側および側部部材２，２の後部側で捕捉されるのである。
【００２１】
そして、多くのゴミが捕捉されて、後部部材３が目詰まり状態になったとしても、ゴミを伴って流れる水は、この目詰まり部の上流側の底部部材１を通して、その下部側の通水路Ｗａへの流れ込みが可能であることから、水路Ｗの詰まりは生じないのであり、かつ、この水に乗って流れ来るゴミは、底部部材１によって捕捉されて、上記の目詰まりとなったゴミの前側に堆積するようになる。
【００２２】
極端には、このゴミの堆積が順次に肥大化して、底部部材１と前部部材４とが完全に目詰まりするまでは、水路Ｗの通水状態が確保されるのであって、上記構成のゴミ捕捉器によれば、ゴミの捕捉面積が極めて大であることから、目詰まりを長期にわたって防止できるのであり、延いては、ゴミ排除のサイクルタイムの大幅な延長が可能になる。
【００２３】
次に、本発明の実施の形態であるゴミ捕捉器の水路Ｗへの設置状態を図７に示している。この本発明の実施の形態によるゴミ捕捉器は、底部部材１の幅を水路Ｗの全幅よりも幅狹にする点と、底部部材１と水路底面ｂとの間、及び、幅方向両側の側部部材２，２と水路側面ａ，ａとの間に、それぞれ通水路Ｗａ，Ｗｂを形成するようにスペーサー５を設ける点、及び、この通水路Ｗａ，Ｗｂを横断させるように、底部部材１と側部部材２，２の上流側の端部に前部側部材１２を連設する点で、図１に示した参考例のゴミ捕捉器とは構成が異なるだけのものである。
【００２４】
かゝる構成のゴミ捕捉器によれば、底部部材１と側部部材２，２の外回りに通水路Ｗａ，Ｗｂが確保されることから、図１に示したゴミ捕捉器に比較して、後部部材３が目詰まりした際の流路面積を大きく確保することができる。
【００２５】
上記の前部側部材１２は、底部部材１の端部から上流側の水路底面ｂに向けて傾斜する下部側の前部部材１２ａと、側部部材２，２の端部から上流側の水路側面ａ，ａに向けて傾斜する側方の前部部材１２ｂとから構成されている。
【００２６】
そして、下部側の前部部材１２ａを裾広がりに形成する一方、側方の前部部材１２ｂの下側縁を、裾広がりに形成した前部部材１２ａの側縁に沿わせるように形成して、両者１２ａ，１２ｂ間に、ゴミの通過隙間を生じさせないように考慮している。
【００２７】
尚、図７に示した本発明の実施の形態によるゴミ捕捉器において、幅方向一方の側部部材２と水路側面ａとの間に通水路Ｗｂを形成するように構成しての実施も可能である。
【００２８】
【発明の効果】
以上説明したように本発明によれば、ゴミの捕捉面積が飛躍的に増大し、従って、目詰まりが長期にわたって防止され、延いては、ゴミ排除のサイクルタイムの大幅な延長が可能なゴミ捕捉器が提供される。
【図面の簡単な説明】
【図１】  参考例のゴミ捕捉器の斜視図である。
【図２】  同上ゴミ捕捉器の構成基材を示す斜視図である。
【図３】  水路に設置した参考例のゴミ捕捉器の平面図である。
【図４】  水路に設置した参考例のゴミ捕捉器の縦断側面図である。
【図５】  図３のＡ−Ａ線視におけるゴミ捕捉器の端面図である。
【図６】  図３のＢ−Ｂ線視におけるゴミ捕捉器の断面図である。
【図７】  本発明の実施の形態によるゴミ捕捉器の水路への設置平面図である。
【符号の説明】
１…底部部材、２…側部部材、３…後部部材、４…前部部材、５…スペーサー、１２…前部側部材、１２ａ，１２ｂ…前部部材、ａ…水路側面、ｂ…水路底面、Ｗ…水路、Ｗａ，Ｗｂ…通水路。
【図１】
0003790924.tif 000002
【図２】
0003790924.tif 000003
【図３】
0003790924.tif 000004
【図４】
0003790924.tif 000005
【図５】
0003790924.tif 000006
【図６】
0003790924.tif 000007
【図７】
0003790924.tif 000008